(57)【要約】      （修正有）【課題】鉄道等の沿線に設ける電話機において、低コストに扉の閉め忘れを防止するようにした沿線電話を提供する。【解決手段】沿線電話機１は、電話機本体２と、筐体３と、扉４と、ハンドル部５と、付勢部６とを備える。筐体３は、電話機本体２を収容し、開口部３１を有する。扉４は、開口部３１を開閉する。ハンドル部５は、扉４を閉じた状態で筐体３に固定するためのものである。付勢部６は、扉４を開く方向に付勢する。扉４は、ハンドル部５によって筐体３に固定されていないとき、付勢部６によって開かれる。これにより、扉４が筐体３に固定されていないことを使用者に気付かせる。【選択図】図４
0003182849.tif 000002
【実用新案登録請求の範囲】
【請求項１】
鉄道の沿線に設けられる沿線電話機であって、
電話機本体と、
前記電話機本体を収容し、開口部を有する筐体と、
前記開口部を開閉する扉と、
前記扉を閉じた状態で前記筐体に固定するためのハンドル部と、
前記扉を開く方向に付勢する付勢部とを備え、
前記扉は、前記ハンドル部によって前記筐体に固定されていないとき、前記付勢部によって開かれることを特徴とする沿線電話機。
【請求項２】
前記扉は、回動可能に基端側が該扉に取り付けられた長尺状部材を有し、
前記筐体は、前記長尺状部材のスライドを回動可能に案内するガイド部を有し、
前記扉が前記筐体に固定されていないとき、前記長尺状部材は、前記付勢部によって先端側が筐体内側に引かれることにより、前記ガイド部を支点として回動し、基端側で扉を押し開くことを特徴とする請求項１に記載の沿線電話機。
【請求項３】
前記付勢部は、コイルばねであり、一端が前記電話機本体に、他端が前記長尺状部材の先端側に取り付けられ、前記扉が閉じた状態で引き伸ばされていることを特徴とする請求項２に記載の沿線電話機。
【請求項４】
前記扉が所定角度に開いたとき、前記長尺状部材が前記ガイド部で係止されることを特徴とする請求項２又は請求項３に記載の沿線電話機。
【請求項５】
前記ハンドル部は、前記扉に設けられており、前記筐体と係合する係合片と、前記係合片を動かすハンドルとを有することを特徴とする請求項１乃至請求項４のいずれか一項に記載の沿線電話機。
【考案の詳細な説明】
【技術分野】
【０００１】
本考案は、鉄道の沿線に設けられる沿線電話機に関する。
【背景技術】
【０００２】
鉄道の沿線には、約５００ｍ間隔で沿線電話機が設けられている。沿線電話機は、沿線から指令所、駅等の運転に直接関係する業務機関に連絡するための電話機であり、鉄道事業者の専用回線に接続されており、災害時の緊急連絡や、沿線での作業時の連絡等に使用される。沿線からの別の連絡手段として携帯電話があるが、地震等の災害時には、携帯電話事業者の回線に輻輳が発生し、携帯電話の使用が困難になることがある。また、携帯電話は、電波を用いるため、トンネル内等の使用できない箇所がある。このため、沿線からの確実な連絡手段として沿線電話機が使用される。
【０００３】
沿線電話機は、電話機本体が筐体に収容されており、使用者は、筐体前面に設けられた扉を開けて沿線電話機を使用する。使用者は、沿線電話機の使用が終わると、扉を閉じる必要があるが、扉を閉め忘れることがありえる。特に、トンネル区間が多い線区で、沿線電話機の使用頻度が高いため、扉の閉め忘れが発生しやすい傾向がある。沿線電話機の扉を閉め忘れると、同じ回線に接続された他の沿線電話機が使用できなくなる場合があり、また、筐体内に風雨が侵入して電話機本体が劣化するおそれがある。
【０００４】
扉の閉め忘れへの対策として、扉が自動的に閉まるように構成された沿線電話機が知られている（例えば、特許文献１参照）。この沿線電話機は、コイルばねの弾性力で扉を閉じる自動閉じ蝶番と、閉じた扉を自動的に磁力で筐体に固定する磁石とを有する。しかしながら、このような沿線電話機は、使用時に大きな力で扉を開く必要がある。また、自動閉じ蝶番や磁石を有するので、高コストとなる。
【先行技術文献】
【特許文献】
【０００５】
【特許文献１】特開２００２−２７１４６７号公報
【考案の概要】
【考案が解決しようとする課題】
【０００６】
本考案は、上記問題を解決するものであり、沿線電話機において、低コストに扉の閉め忘れを防止することを目的とする。
【課題を解決するための手段】
【０００７】
本考案の沿線電話機は、鉄道の沿線に設けられるものであって、電話機本体と、前記電話機本体を収容し、開口部を有する筐体と、前記開口部を開閉する扉と、前記扉を閉じた状態で前記筐体に固定するためのハンドル部と、前記扉を開く方向に付勢する付勢部とを備え、前記扉は、前記ハンドル部によって前記筐体に固定されていないとき、前記付勢部によって開かれることを特徴とする。
【０００８】
この沿線電話機において、前記扉は、回動可能に基端側が該扉に取り付けられた長尺状部材を有し、前記筐体は、前記長尺状部材のスライドを回動可能に案内するガイド部を有し、前記扉が前記筐体に固定されていないとき、前記長尺状部材は、前記付勢部によって先端側が筐体内側に引かれることにより、前記ガイド部を支点として回動し、基端側で扉を押し開くことが好ましい。
【０００９】
この沿線電話機において、前記付勢部は、コイルばねであり、一端が前記電話機本体に、他端が前記長尺状部材の先端側に取り付けられ、前記扉が閉じた状態で引き伸ばされていることが好ましい。
【００１０】
この沿線電話機において、前記扉が所定角度に開いたとき、前記長尺状部材が前記ガイド部で係止されることが好ましい。
【００１１】
この沿線電話機において、前記ハンドル部は、前記扉に設けられており、前記筐体と係合する係合片と、前記係合片を動かすハンドルとを有することが好ましい。
【考案の効果】
【００１２】
本考案の沿線電話機によれば、扉がハンドル部によって筐体に固定されていないとき、付勢部によって開かれるので、扉が筐体に固定されていないことを使用者に気付かせて、扉の閉め忘れを防止することができる。扉を開くことによって扉の閉め忘れを防止するので、扉を筐体に自動的に固定するための磁石等は不要であり、低コストに扉の閉め忘れを防止することができる。付勢部は、扉を開く方向に付勢するので、沿線電話機は、使用時に扉を容易に開けることができる。
【図面の簡単な説明】
【００１３】
【図１】本考案の一実施形態に係る沿線電話機の扉が閉じているときの正面図。
【図２】同沿線電話機の扉が開いているときの正面図。
【図３】同沿線電話機の扉が閉じているときの透視平面図。
【図４】同沿線電話機の扉が開いているときの透視平面図。
【考案を実施するための形態】
【００１４】
本願考案者が鉄道の経験に基づいて考察したところ、沿線電話機の扉の閉め忘れが発生するのは、使用者が扉を開けた状態で放置するからではなく、扉を閉めたつもりが完全には閉めきっていないために、その沿線電話機が設けられた箇所を使用者が離れた後に扉が開くことが真の原因である。扉を完全には閉めきっていないとは、扉がほぼ閉じた位置にあるが、閉じた状態で固定されていないことをいう。特に、トンネル内に設けられた沿線電話機は、列車風を受けるので、扉が閉じた状態で固定されていない場合、列車の通過によって扉が開き易い。
【００１５】
そこで、本願考案者は、沿線電話機の扉を自動的に閉めるのではなく、逆に、閉め切っていない扉を自動的に開くことによって、使用者に扉の閉め忘れを気付かせ、扉の閉め忘れを防止する沿線電話機を考案するに至った。
【００１６】
本考案の一実施形態に係る沿線電話機を図１乃至図４を参照して説明する。図１及び図２に示されるように、沿線電話機１は、鉄道の沿線に設けられるものであり、電話機本体２と、筐体３と、扉４と、ハンドル部５と、付勢部６とを備える。筐体３は、電話機本体２を収容し、開口部３１を有する。扉４は、開口部３１を開閉する。図１は、扉４を閉じた状態を示し、図２は、扉４を開いた状態を示す。ハンドル部５は、扉４を閉じた状態で筐体３に固定するためのものである。付勢部６は、扉４を開く方向に付勢する。扉４は、ハンドル部５によって筐体３に固定されていないとき、付勢部６によって開かれる。
【００１７】
沿線電話機１の各構成をさらに詳述する。電話機本体２は、ドアスイッチ２１と、回線選択スイッチ２２と、押しボタンダイヤル２３と、ハンドセット２４とを有する（図２参照）。扉４を開くと、扉４によるドアスイッチ２１への押圧が解除され、回線が接続される。回線は複数あり、回線選択スイッチ２２の操作によって回線が選択される。回線には、直通回線と交換回線がある。交換回線への発信は、押しボタンダイヤル２３の操作によって行われる。ハンドセット２４は、電話機本体２とコード２５で接続されており、通話に用いられる。
【００１８】
筐体３は、外形が略直方体であり、トンネル壁面や沿線の支柱等に取り付けられる。開口部３１は、筐体３の前面に設けられている。扉４は、片開きであり、蝶番４１によって筐体３に取り付けられている。電話機本体２は、扉４を開いた状態で使用される。扉４は、内側の周縁にパッキン４２を有する。扉４が閉じられたとき、筐体３及び扉４は、電話機本体２を密封する。
【００１９】
ハンドル部５は、扉４に設けられており、係合片５１と、係合片５１を動かすハンドル５２とを有する。係合片５１は、フックとも呼ばれ、扉４の内側に位置する。ハンドル５２は、扉４の外側に位置し、使用者によって操作される。係合片５１とハンドル５２は、扉４を貫通する軸で連結されており、ハンドル５２を回動することによって係合片５１が筐体３と係合した状態と、筐体３との係合が解除された状態とが切り替えられる。扉４が閉じた状態で、係合片５１が筐体３における開口部３１の周縁と係合することによって、扉４が筐体３に固定される。係合片５１の筐体３との係合は、ばね５３の弾性力によって保持される。ハンドル５２を動かして係合片５１の筐体３との係合が解除されると、扉４は筐体３に固定されない。
【００２０】
付勢部６は、例えば、ばね等の弾性体であり、本実施形態では、コイルばねが用いられている。
【００２１】
上記のように構成された沿線電話機１では、付勢部６が扉４を開く方向に付勢するので、扉４は、ハンドル部５によって筐体３に固定されていないとき、付勢部６によって開かれる。
【００２２】
沿線電話機１の使用者は、扉４が開いた状態で電話機本体２を使用する。使用者は、電話機本体２の使用が終わると、扉４を閉じ、ハンドル部５を操作して扉４を筐体３に固定する。使用者が扉４の固定を忘れた場合、扉４が付勢部６によって開かれるので、扉４が固定されていないこと、すなわち、扉４の閉め忘れに気付く。使用者は、扉４を閉じ、ハンドル部５を操作して扉４を筐体３に固定する。扉４は、ハンドル部５によって閉じた状態が保たれる。
【００２３】
なお、従来の通常の沿線電話機は、付勢部６を有しないので、扉４が筐体３に固定されていないときであっても、扉４が閉じた位置にある場合があるため、そのような場合、使用者は、扉４が固定されていないことに気付き難い。
【００２４】
付勢部６が扉４を開く機構について詳述する。図３及び図４は、沿線電話機１において、筐体３を上から透視した構成を示す。扉４は、長尺状部材７を有する。長尺状部材７は、平面視で回動可能に基端側が扉４に取り付けられており、扉４の電話機本体２に対向する側、すなわち扉４の内側に位置する。筐体３は、内側上部にガイド部３２を有する。ガイド部３２は、長尺状部材７の筐体３に対するスライドを回動可能に案内する。長尺状部材７は、付勢部６によって先端側が筐体３内側に引かれる（図３参照）。長尺状部材７は、ガイド部３２に案内されて、回動しながらスライドする。これにより、長尺状部材７は、扉４が筐体３に固定されていないとき、ガイド部３２を支点として回動し、基端側で扉４を押し開く（図４参照）。
【００２５】
本実施形態では、付勢部６は、コイルばねであり、一端が電話機本体２に、他端が長尺状部材７の先端側に取り付けられ、扉４が閉じた状態で引き伸ばされている。コイルばねである付勢部６は、縮む力で扉４を開く方向に付勢する。なお、付勢部６の一端を、電話機本体２に取り付けることに替えて、適宜の部材を介して筐体３の内側に取り付けてもよい。
【００２６】
長尺状部材７は、長尺状の金属板を成形したものである。この長尺状部材７は、扁平筒状のガイド部３２に挿通されており、ガイド部３２から抜け出さないように先端部７１が下方に曲げられている。このため、長尺状部材７は、扉４が開く角度を制限する。また、長尺状部材７の先端より若干基端側の下側に凸部７２を有する。凸部７２は、長尺状部材７の一部を下方に曲げて形成される。扉４が所定角度に開いたとき、凸部７２がガイド部３２と係合し、長尺状部材７がガイド部３２で係止される。したがって、扉４を所定角度まで開くと、扉４がその角度で開いた状態が保持される。長尺状部材７は、扉４を所定角度で開いた状態でロックすることから、扉ロック金物とも呼ばれる。
【００２７】
既存の沿線電話機において、長尺状部材７を、コイルばね取付用の孔が先端近傍に設けられたものと交換し、付勢部６としてのコイルばねを取り付けることによって、本実施形態の沿線電話機１に改造することができる。本実施形態の沿線電話機１を新造してもよい。
【００２８】
以上、本実施形態に係る沿線電話機１によれば、扉４がハンドル部５によって筐体３に固定されていないとき、付勢部６によって開かれるので、扉４が筐体３に固定されていないことを使用者に気付かせて、扉４の閉め忘れを防止することができる。扉４を開くことによって扉４の閉め忘れを防止するので、扉４を筐体３に自動的に固定するための磁石等は不要であり、低コストに扉４の閉め忘れを防止することができる。付勢部６は、扉４を開く方向に付勢するので、沿線電話機１は、使用時に扉４を容易に開けることができる。
【００２９】
扉４が筐体３に固定されていないとき、長尺状部材７は、付勢部６によって先端側が筐体３内側に引かれることにより、ガイド部３２を支点として回動し、基端側で扉４を押し開くので、長尺状部材７がてことして機能することになり、てこ比によって扉４を開く角度を容易に大きくすることができる。
【００３０】
付勢部６は、コイルばねであり、一端が電話機本体２に、他端が長尺状部材７の先端側に取り付けられるので、低コストかつ容易に付勢部６を取り付けることができる。また、既存の沿線電話機にも付勢部６を容易に取り付けることができる。
【００３１】
扉４が所定角度に開いたとき、長尺状部材７がガイド部３２で係止されるので、扉４が所定角度で開いた状態が保持され、扉４を閉めていないことを使用者に容易に気付かせることができ、扉４の閉め忘れを防止することができる。
【００３２】
ハンドル部５は、扉４に設けられており、筐体３と係合する係合片５１と、係合片５１を動かすハンドル５２とを有するので、扉４を閉じた状態でハンドル５２を動かすことによって、係合片５１の筐体３との係合によって扉４が筐体３に固定され、係合片５１の係合を解除して扉４が開かれる。
【００３３】
なお、本考案は、上記の実施形態の構成に限られず、考案の要旨を変更しない範囲で種々の変形が可能である。例えば、付勢部６は、扉４を筐体３に取り付ける蝶番４１に設けられ、扉４を開く方向に付勢するコイルばね又は板ばねであってもよい。
【符号の説明】
【００３４】
１  沿線電話機
２  電話機本体
３  筐体
３１  開口部
３２  ガイド部
４  扉
５  ハンドル部
５１  係合片
５２  ハンドル
６  付勢部
７  長尺状部材
【図１】
0003182849.tif 000003
【図２】
0003182849.tif 000004
【図３】
0003182849.tif 000005
【図４】
0003182849.tif 000006